(57)【要約】【課題】紙媒体の受け渡しによらず名刺交換同様の実効を得ると共に、名刺の情報の変更を容易にする。【解決手段】自者固有情報を記憶し、外部から受信した読取要求に応じて自者固有情報を外部に送信するデータキャリア部６と、読取部７と、記憶部９と、表示部２と、前記読取部７が外部のデータキャリア部から他者固有情報を読み取ると、当該他者固有情報を前記表示部２に表示させる制御部１０と、を備える。【選択図】図１
2007272310.tif 000002
【特許請求の範囲】
【請求項１】
自者固有情報を記憶し、外部から受信した読取要求に応じて自者固有情報を外部に送信するデータキャリア部と、
読取部と、
表示部と、
前記読取部が外部のデータキャリア部から他者固有情報を読み取ると、当該他者固有情報を前記表示部に表示させる制御部と、
を備えることを特徴とする電子名刺装置。
【請求項２】
記憶部を更に備え、
前記制御部は、前記読取部が外部のデータキャリア部から読み取った他者固有情報を、前記記憶部に記憶させることを特徴とする請求項１に記載の電子名刺装置。
【請求項３】
ユーザの操作指示を受け付ける操作部と、
該操作部が受け付けた操作指示に基づいて前記読取部の状態を読取可能状態／読取不可能状態に切り替える読取状態切替手段と、
を更に備えることを特徴とする請求項１又は２に記載の電子名刺装置。
【請求項４】
前記操作部は、タッチセンサであって、
前記読取状態切替手段は、前記タッチセンサにユーザが触れているときに、前記読取部の状態を読取可能状態に切り替えることを特徴とする請求項３に記載の電子名刺装置。
【請求項５】
前記操作部は、タッチセンサ及び傾き検知センサであって、
前記読取状態切替手段は、前記タッチセンサにユーザが触れているときに、前記傾き検知センサにより所定角度以上の傾きが検知されていれば、前記読取部の状態を読取可能状態に切り替えることを特徴とする請求項３に記載の電子名刺装置。
【請求項６】
前記データキャリア部は、非接触ＩＣタグであって、前記読取部は、前記非接触ＩＣタグが記憶する情報を読み出す機能を有するリーダであることを特徴とする請求項１〜５の何れかに記載の電子名刺装置。
【請求項７】
ユーザの操作指示を受け付ける操作部と、
該操作部が受け付けた操作指示に基づいて前記データキャリア部の状態を送信可能状態／送信不可能状態に切り替える送信状態切替手段と、
を更に備えることを特徴とする請求項１〜５の何れかに記載の電子名刺装置。
【請求項８】
前記操作部は、タッチセンサであって、
前記送信状態切替手段は、前記タッチセンサにユーザが触れているときに、前記データキャリア部の状態を送信可能状態に切り替えることを特徴とする請求項７に記載の電子名刺装置。
【請求項９】
前記操作部は、タッチセンサ及び傾き検知センサであって、
前記送信状態切替手段は、前記タッチセンサにユーザが触れているときに、前記傾き検知センサにより所定角度以上の傾きが検知されていれば、前記データキャリア部の状態を送信可能状態に切り替えることを特徴とする請求項７に記載の電子名刺装置。
【請求項１０】
前記データキャリア部は、非接触ＩＣタグであって、前記読取部は、前記非接触ＩＣタグが記憶する情報を読み出す機能を有するリーダであることを特徴とする請求項７〜９の何れかに記載の電子名刺装置。
【請求項１１】
前記非接触ＩＣタグのアンテナを構成するループを開閉するスイッチを備え、
前記送信状態切替手段は、前記スイッチを駆動して前記ループ開閉を切り替える
ことを特徴とする請求項１０に記載の電子名刺装置。
【請求項１２】
更新用情報を取得するデータ取得部を備え、
前記制御部は、前記データ取得部から入力された更新用情報に基づいてデータキャリア部に記憶された自者固有情報を書き換える
ことを特徴とする請求項１〜１１の何れかに記載の電子名刺装置。
【請求項１３】
前記データ取得部は、ユーザによる情報入力操作を受け付ける操作キー又は外部装置と情報の送受信を行う通信ポートであることを特徴とする請求項１２に記載の電子名刺装置。
【請求項１４】
前記制御部は、前記読取部が読み取った他者固有情報が、前記記憶部に既に記憶されている場合、前記読取部が読み取った他者固有情報を前記記憶部に記憶させないことを特徴とする請求項２〜１３の何れかに記載の電子名刺装置。
【発明の詳細な説明】
【技術分野】
【０００１】
本発明は、名刺交換の機能を電気信号の送受信で実現する電子名刺装置に関する。
【背景技術】
【０００２】
従来、紙媒体である名刺による身元情報の伝達が行われているが、名刺に表記されている情報を目視により確認して電話発信等の操作を行う場合の誤操作を皆無にすることは極めて困難であるということから、名刺に非接触ＩＣタグを付加したものと、これを利用した情報自動発信システムが考え出され、特許文献１に開示されている。
特許文献１に記載の技術では、名刺に付加される非接触ＩＣタグは、名刺に印刷された名前や電話番号等の情報を記憶している。情報自動発信システムは、リーダライタが非接触ＩＣタグが記憶している情報を読み取って情報発信機器へ出力し、情報発信機器が例えば電話器であれば、電話器はリーダライタから入力された情報のうち電話番号を表示し、操作者が開始キーを操作することによって、電話を自動発信する。
【特許文献１】特開２００２−１８３６９３号公報
【発明の開示】
【発明が解決しようとする課題】
【０００３】
特許文献１に記載の技術は、従来の紙等に名前や電話番号等を印刷した名刺に非接触ＩＣタグを付加したものであるので、名刺交換にあたっては、従来と同じく、非接触ＩＣタグ付の名刺を相手に渡すことを想定している。したがって、従来と同じく、名刺の発注や補充を行わなければならない。また、電話番号や所属部署等の変更に伴って名刺の情報を変更する場合には、手持ちの名刺を廃棄し、新しい名刺を作り直さなければならない。
【０００４】
本発明は、上述した事情に鑑みてなされたもので、紙媒体の受け渡しによらず名刺交換同様の実効を得ると共に、名刺の情報の変更を容易にすることを目的とする。
【課題を解決するための手段】
【０００５】
上記課題を解決するために、本発明では、第１の手段として、自者固有情報を記憶し、外部から受信した読取要求に応じて自者固有情報を外部に送信するデータキャリア部と、読取部と、表示部と、前記読取部が外部のデータキャリア部から他者固有情報を読み取ると、当該他者固有情報を前記表示部に表示させる制御部と、を備えるものを採用した。
【０００６】
また、第２の手段として、上記第１の手段において、記憶部を更に備え、前記制御部は、前記読取部が外部のデータキャリア部から読み取った他者固有情報を、前記記憶部に記憶させる備えるものを採用した。
【０００７】
また、第３の手段として、上記第１又は２の手段において、ユーザの操作指示を受け付ける操作部と、該操作部が受け付けた操作指示に基づいて前記読取部の状態を読取可能状態／読取不可能状態に切り替える読取状態切替手段と、を更に備えるものを採用した。
【０００８】
第４の手段として、上記第３の手段において、前記操作部は、タッチセンサであって、前記読取状態切替手段は、前記タッチセンサにユーザが触れているときに、前記読取部の状態を読取可能状態に切り替えるものを採用した。
【０００９】
第５の手段として、上記第３の手段において、前記操作部は、タッチセンサ及び傾き検知センサであって、前記読取状態切替手段は、前記タッチセンサにユーザが触れているときに、前記傾き検知センサにより所定角度以上の傾きが検知されていれば、前記読取部の状態を読取可能状態に切り替えるものを採用した。
【００１０】
第６の手段として、上記第１から５の何れかの手段において、前記データキャリア部は、非接触ＩＣタグであって、前記読取部は、前記非接触ＩＣタグが記憶する情報を読み出す機能を有するリーダであるものを採用した。
【００１１】
第７の手段として、上記第１から５の何れかの手段において、ユーザの操作指示を受け付ける操作部と、該操作部が受け付けた操作指示に基づいて前記データキャリア部の状態を送信可能状態／送信不可能状態に切り替える送信状態切替手段と、を更に備えるものを採用した。
【００１２】
第８の手段として、上記第７の手段において、前記操作部は、タッチセンサであって、前記送信状態切替手段は、前記タッチセンサにユーザが触れているときに、前記データキャリア部の状態を送信可能状態に切り替えるものを採用した。
【００１３】
第９の手段として、上記第７の手段において、前記操作部は、タッチセンサ及び傾き検知センサであって、前記送信状態切替手段は、前記タッチセンサにユーザが触れているときに、前記傾き検知センサにより所定角度以上の傾きが検知されていれば、前記データキャリア部の状態を送信可能状態に切り替えるものを採用した。
【００１４】
第１０の手段として、上記第７から９の何れかの手段において、前記データキャリア部は、非接触ＩＣタグであって、前記読取部は、前記非接触ＩＣタグが記憶する情報を読み出す機能を有するリーダであるものを採用した。
【００１５】
第１１の手段として、上記第１０の手段において、前記非接触ＩＣタグのアンテナを構成するループを開閉するスイッチを備え、前記送信状態切替手段は、前記スイッチを駆動して前記ループ開閉を切り替えるものを採用した。
【００１６】
第１２の手段として、上記第１から１１の何れかの手段において、更新用情報を取得するデータ取得部を備え、前記制御部は、前記データ取得部から入力された更新用情報に基づいてデータキャリア部に記憶された自者固有情報を書き換えるものを採用した。
【００１７】
第１３の手段として、上記第１２の手段において、前記データ取得部は、ユーザによる情報入力操作を受け付ける操作キー又は外部装置と情報の送受信を行う通信ポートであるものを採用した。
【００１８】
第１４の手段として、上記第２から１３の何れかの手段において、前記制御部は、前記読取部が読み取った他者固有情報が、前記記憶部に既に記憶されている場合、前記読取部が読み取った他者固有情報を前記記憶部に記憶させないものを採用した。
【発明の効果】
【００１９】
本発明によれば、データキャリア部にて自者固有情報を保持すると共に、読取部により他者固有情報を取得し、表示部で表示するようにしたので、紙媒体の受け渡しによらず名刺交換同様の実効を得ることができる。また、データキャリア部が保持する自者固有情報を更新することにより、従来のような名刺の刷り直しを行うことなく容易に名刺の情報を変更することができる。
【発明を実施するための最良の形態】
【００２０】
以下、本発明の電子名刺装置の一実施形態について、図面を参照して説明する。図１は、本実施形態における電子名刺装置の外観及び構成を示す概略正面図（ａ）及び概略背面図（ｂ）であり、図２は、本実施形態における電子名刺装置の構成を示すブロック図である。電子名刺装置は、筐体１と、表示部２と、操作キー３と、静電容量変化式タッチセンサ４と、傾き検知センサ５と、非接触ＩＣタグ６（データキャリア部）と、リーダライタ７（読取部）と、通信ポート８（データ取得部）と、記憶部９と、制御部１０と、を備えている。本実施形態における操作部は、静電容量変化式タッチセンサ４及び傾き検知センサ５により構成され、本実施形態における読取状態切替手段及び送信状態切替手段は、制御部１０により実現されている。
【００２１】
筐体１は、上記の表示部２、操作キー３、静電容量変化式タッチセンサ４、傾き検知センサ５、非接触ＩＣタグ６、リーダライタ７、通信ポート８、記憶部９、制御部１０を収納する。表示部２、操作キー３、静電容量変化式タッチセンサ４、通信ポート８は、筐体１から露出して設けられ、傾き検知センサ５、非接触ＩＣタグ６、リーダライタ７、記憶部９、制御部１０は、筐体１に内蔵されている。
【００２２】
表示部２は、液晶パネル等であり、制御部１０から入力される画像信号に基づいて各種画像を表示するものである。
操作キー３は、ユーザが操作可能なキーであって、ユーザからの各種操作を受け付け、ユーザからの操作内容を示す電気信号を制御部１０へ出力する。静電容量変化式タッチセンサ４は、この静電容量変化式タッチセンサ４にユーザが触れているとき、ユーザが触れていることを検知し、ユーザが触れていることを示す電気信号を制御部１０へ出力する。傾き検知センサ５は、電子名刺装置が傾いているとき、傾き角度を検知し、傾き角度を示す電気信号を制御部１０へ出力する。
【００２３】
非接触ＩＣタグ６は、図３の概略図に示すように、ＩＣチップ６ａと、アンテナコイル６ｂと、スイッチ６ｃとを備えている。ＩＣチップ６ａは、自者固有情報として、例えば、ユーザの名前や、所属する会社名、部署名、電話番号、ファクシミリ番号、メールアドレス等の各種連絡先を記憶する。スイッチ６ｃは、制御部１０により制御されて駆動し、アンテナコイル６ｂを構成するループを開閉する。アンテナコイル６ｂを構成するループがスイッチ６ｃにより閉じられているとき、リーダライタ７が発する電磁波をアンテナコイル６ｂが受けると、非接触ＩＣタグ６は電磁誘導で発生する電力を動力源として動作し、ＩＣチップ６ａに記憶している自者固有情報を無線でリーダライタ７へ送信する。
リーダライタ７は、非接触ＩＣタグ６から情報を読み取るにあたって非接触ＩＣタグ６に電磁波を照射する一方、制御部１０による制御に従ってＩＣチップ６ａに記憶された情報を書き換える。
【００２４】
通信ポート８は、外部装置との情報の入出力を行うものであって、例えば、パーソナルコンピュータと接続し、制御部１０から入力された情報をパーソナルコンピュータへ出力したり、パーソナルコンピュータから入力された情報を制御部１０へ出力したりする。
記憶部９は、リーダライタ７が他者の電子名刺装置の非接触ＩＣタグ６から読み取った他者の固有情報、即ち、他者の名前や、所属する会社名、部署名、電話番号、ファクシミリ番号、メールアドレス等の各種連絡先を記憶する。
【００２５】
制御部１０は、内部メモリに記憶された制御プログラム及び各種制御用データに基づいて本電子名刺装置の全体動作を制御するものであり、上記制御プログラム及び各種制御用データ等に基づいて制御演算を行うＣＰＵ（Central Processing Unit）及び他の各部と電気信号の授受を行う各種入出力インターフェース回路等から構成されている。
また、制御部１０は、静電容量変化式タッチセンサ４から電気信号が入力され、且つ、傾き検知センサ５から電気信号が入力され、且つ、傾き検知センサ５から入力された電気信号が示す電子名刺装置の傾き角度が所定角度以上（例えば４５°以上）である場合に、リーダライタ７が電磁波を照射するようリーダライタ７を制御することにより、リーダライタ７の状態を読取不可能状態から読取可能状態へ切り替え、他者所有の電子名刺装置が備える非接触ＩＣタグ６が記憶している他者固有情報を読み取ることができる状態にしている。更に、制御部１０は、リーダライタ７の状態を読取不可能状態から読取可能状態へ切り替えるのに伴って、スイッチ６ｃを駆動し、アンテナコイル６ｂを構成するループの開閉を切り替える。
【００２６】
次に、上記構成の電子名刺装置の動作について説明する。名刺交換にあたって、まず、ユーザが、名刺交換の相手に近づき、静電容量変化式タッチセンサ４に触れながら、相手に名刺を渡すように、電子名刺装置を略垂直状態から略水平状態に傾ける。このとき、静電容量変化式タッチセンサ４が、ユーザが触れていることを検知していて、且つ、傾き検知センサ５が電子名刺装置が傾いていることを検知し、且つ、傾き検知センサ５が検知した傾き角度が所定角度以上であると、制御部１０は、スイッチ６ｃを駆動してアンテナ６ｂを構成するループを閉じると共に、リーダライタ７から電磁波を照射させる。
ここで、名刺交換の相手即ち他者が所有する電子名刺装置が備える非接触ＩＣタグ６には、他者固有情報が記憶されている。そして、名刺交換の相手も、上記ユーザと同様の動作を行っていれば、相手側の電子名刺装置においても、非接触ＩＣタグ６のアンテナ６ｂを構成するループが閉じられ、リーダライタ７が電磁波を照射している。
【００２７】
すると、互いの電子名刺装置のリーダライタ７は、読取可能範囲内にある非接触ＩＣタグ６が記憶する固有情報を読み取り、制御部１０に出力する。制御部１０は、リーダライタ７から入力された固有情報が、自装置内の非接触ＩＣタグ６に記憶された自者固有情報又は記憶部９に記憶された他者固有情報と一致しない場合、リーダライタ７から入力された固有情報を名刺交換相手の固有情報即ち他者固有情報であると判断し、この他者固有情報を表示部２に表示させると共に、記憶部９に記憶させる。また、制御部１０は、リーダライタ７から入力された固有情報が、自装置内の非接触ＩＣタグ６に記憶された自者固有情報又は記憶部９に記憶された他者固有情報と同一であれば、表示部２に表示させず、記憶部９に記憶させず、廃棄する。
【００２８】
通信ポート８に例えばパーソナルコンピュータ等の外部装置が接続された場合、制御部１０は、記憶部９に記憶した他者固有情報を、通信ポート８に接続した外部装置へ出力するか、或いは、非接触ＩＣタグ６の自者固有情報を更新する更新用情報を外部装置から取り込むのかを問う画面を表示部２に表示させることにより、ユーザの指示操作を促す。これに対して、ユーザが、操作キー３により、他者固有情報を外部装置へ出力するよう指示すれば、制御部１０は、記憶部９に記憶した他者固有情報を通信ポート８に接続した外部装置へ出力し、また、ユーザが、操作キー３により、更新用情報を外部装置から取り込むよう指示すれば、制御部１０は、非接触ＩＣタグ６の情報を更新する更新用情報を外部装置から取り込む。
【００２９】
このような電子名刺装置によれば、従来の名刺交換の様式はそのままに、意図した相手との連絡先の交換を行うことができる。
また、本電子名刺装置は、非接触ＩＣタグ６とリーダライタ７とを備えているので、名刺交換を行う両者の電子名刺装置が、同時に、相手の固有情報を読み取ることができる。
更に、非接触ＩＣタグ６とリーダライタ７との送受信による名刺交換では、名刺交換相手が複数名の場合、名刺交換相手毎に１対１で通信を行う必要がなく、アンチコリジョン機能によって、複数名と同時に名刺交換を行うことができる。
また、本電子名刺装置は、ユーザが静電容量変化式タッチセンサ４に触れていて、更に、電子名刺装置を傾けているときに、リーダライタ７により周囲の非接触ＩＣタグ６の情報を読み取らせるようにしているので、例えば満員電車や展示会会場等の込み合っている場所でも、意図しない相手の他者固有情報を読み取ってしまうという不都合を回避することができる。
一般的な非接触ＩＣタグは、読出可能距離内にあるリーダライタ７には情報を渡してしまうが、本実施形態の非接触ＩＣタグ６は、スイッチ６ｃにより、ユーザの意図する場合のみに、読出可能距離内にあるリーダライタ７に自者固有情報を渡すようになっているので、意図しない相手に自者固有情報を渡して個人情報を漏洩させてしまう不都合を回避することができる。
また、制御部１０が、自装置内の非接触ＩＣタグ６が記憶する自者固有情報や、記憶部９に既に記憶されている他者固有情報を、新たに記憶部９に記憶させないので、記憶部９内で情報が重複して記憶されたり、不要な情報が記憶されたりする不都合がない。
【００３０】
なお、本実施形態では、電子名刺装置を専用機とした場合について説明したが、実施にあたっては、電子名刺装置は、携帯電話やＰＤＡ（Personal Digital Assistants）等の従来流通している携帯端末装置に付加されるものであってもよい。その場合には、携帯端末装置が従来備えている表示部や記憶部等を共用してもよい。
また、本実施形態の電子名刺装置では、非接触ＩＣタグ６とリーダライタ７とにより固有情報の送受信を行う場合について説明したが、実施にあたっては、他の手法によって固有情報の送受信を行ってもよい。固有情報を送受信する手法には、非接触ＩＣタグ６とリーダライタ７のようなものの他、例えば、赤外線通信がある。赤外線通信による場合には、通信は、一方から送信し他方が受信する一方向のみになるので、例えば１対１で電子名刺交換を行う場合、通信は２回行うことになる。また、赤外線通信による場合には、複数名との電子名刺交換を同時に行うことは出来ないので、複数名と電子名刺交換を行う場合には、一人ずつ行うことになる。
更に、本実施形態の電子名刺装置では、データ取得部を通信ポート８とした場合について説明したが、実施にあたっては、データ取得部を操作キー３として、ユーザが操作キー３を用いて手入力により自者固有情報を更新する情報を入力するようにしてもよい。
また、本実施形態の電子名刺装置では、リーダライタ７が読み取った他者固有情報を、同一の情報が記憶部９に既に記憶されていない限りは記憶するようにしているが、実施にあたっては、リーダライタ７が他者固有情報を読み取ったら、ユーザに対して、当該他者固有情報を記憶部９に保存するか否かを選択する操作を促し、ユーザが、この他者固有情報を記憶部９に保存しないと選択操作した場合には、この他者固有情報と同一の情報が記憶部９に記憶されていなくても、記憶部９に記憶させないようにしてもよい。
【図面の簡単な説明】
【００３１】
【図１】本発明の一実施形態における電子名刺装置の外観及び構成を示す概略正面図（ａ）及び概略背面図（ｂ）である。
【図２】本発明の一実施形態における電子名刺装置の構成を示すブロック図である。
【図３】本発明の一実施形態における電子名刺装置が備える非接触ＩＣタグの構造を示す概略図である。
【符号の説明】
【００３２】
１…筐体、  ２…表示部、  ３…操作キー、  ４…静電容量変化式タッチセンサ（タッチセンサ）、  ５…傾き検知センサ、  ６…非接触ＩＣタグ（データキャリア部）、  ６ａ…ＩＣチップ、  ６ｂ…アンテナコイル、  ６ｃ…スイッチ、  ７…リーダライタ（読取部）、  ８…通信ポート（データ取得部）、  ９…記憶部、  １０…制御部
【図１】
2007272310.tif 000003
【図２】
2007272310.tif 000004
【図３】
2007272310.tif 000005